(57)【特許請求の範囲】
【請求項１】
基台に各種電気機器を収納し、前記基台の前面はカバーで被覆し、該カバーで被覆した前記基台をさらに扉体で施蓋して成る分電盤のカバーの係合構造であって、
前記カバーにはばねで付勢されると共に端部に係合部を設けた係合体を設け、
前記基台には前記係合体と係合する係合片を設け、
前記係合体は係合部が前記係合片から離れるように付勢されて前記扉体の開閉動作に連動して可動するものであり、
前記扉体を閉じたときに前記係合部が前記係合片に係合することを特徴とする分電盤のカバーの係合構造。
【請求項２】
前記分電盤のカバーの係合構造であって、
前記係合体は回動動作により可動するものであり、前記扉体を閉じる動作で前記扉体端部に前記係合体は押され回動し、前記係合部が前記基台に設けられている前記係合片に係合し、前記カバーを前記基台に固定させることを特徴とする請求項１に記載の分電盤のカバーの係合構造。
【発明の詳細な説明】
【技術分野】
【０００１】
本発明は、基台に各種電気機器を収納し、基台の前面はカバーで被覆し、カバーで被覆した基台をさらに扉体で施蓋して成る分電盤の扉体の係合構造に関するものである。
【背景技術】
【０００２】
基台の前面開口を被覆するカバーは、左右両脇または、下部の端寄りに脱着つめを設け、手で脱着つめを動作させることでカバーを基台に嵌合させたり、嵌合を解除したりしていた。大型の分電盤の場合、脱着つめだけではカバーの中央部分が浮き上がってしまい隙間ができ塵埃等の異物進入の虞があった。
【０００３】
そこで、特に大型の分電盤３１には、基台３２の下方中央部に仮の嵌合つめ３３を設けていた。カバー３４を基台３２に取り付けたとき仮の嵌合つめ３３を弾性力によりカバー３４に引っ掛け、カバー３４と基台３２の間に隙間ができないようにする方法がとられていた。
【非特許文献１】カワムラカタログ電設資材編ＮＯ．３４平成１５年５月１日改訂
【発明の開示】
【発明が解決しようとする課題】
【０００４】
しかしながら上記従来技術における仮の嵌合つめは、弾性のみでカバーに引っ掛けるため、嵌合が弱いと隙間が空いてしまい、また、嵌合が強いとカバーを取り外すときに容易に外れず、誤って仮の嵌合つめの周囲部分を破損してしまう虞があった。
【課題を解決するための手段】
【０００５】
そこで本発明は、カバーの脱着が円滑に行える分電盤のカバー係合構造を提供することを目的とし、その構造は、
カバーにはばねで付勢されると共に端部に係合部を設けた係合体を設け、
基台には係合体と係合する係合片を設け、
係合体は係合部が係合片から離れるように付勢されて扉体の開閉動作に連動して可動するものであり、
扉体を閉じたときに係合部が係合片に係合することを特徴とする。
【０００６】
また、係合体は回動動作により可動するものであり、扉体を閉じる動作で扉体端部に係合体は押され回動し、係合部が基台に設けられている係合片に係合し、カバーを基台に固定させることを特徴とする。
【発明の効果】
【０００７】
本発明に係る分電盤の扉体係合構造は、カバーにはばねで付勢されると共に端部に係合部を設けた係合体を設け、基台には係合体と係合する係合片を設け、係合体は扉体の開閉動作に連動して可動するものであり、扉体を閉じたときに係合体は係合片に係合するため、従来のように仮の嵌合つめの強弱に影響されず、円滑にカバーの脱着が行え、作業性が向上する。
また、従来のものでは、仮の嵌合つめが弾性力にのみ頼って仮の嵌合つめを外しただけでカバーを外すことができなくてはならなかったが、本発明に係る脱着つめでは扉体の動作により係合したり係合を解除したりできるので、確実に基台とカバーとを係合でき確実に閉じることが出来る。
【０００８】
また、係合体は回動動作により可動するものであり、扉体を閉じる動作で扉体端部に係合体は押され回動し、基台に設けられている係合片に係合し、カバーを基台に固定させるため、従来のように仮の嵌合つめの強弱に影響されず、円滑にカバーの脱着が行え、作業性が向上する。また、従来のものでは、仮の嵌合つめが弾性力にのみ頼って仮の嵌合つめを外しただけでカバーを外すことができなくてはならなかったが、本発明に係る脱着つめでは扉体の動作により係合したり係合を解除したりできるので、確実に基台とカバーとを係合でき確実に閉じることが出来る。
【０００９】
また、係合体は摺動動作により可動するものであり、扉体を閉じる動作で扉体端部に係合体は押され摺動し、基台に設けられている係合片に係合し、カバーを基台に固定させるため、従来のように仮の嵌合つめの強弱に影響されず、円滑にカバーの脱着が行え、作業性が向上する。また、従来のものでは、仮の嵌合つめが弾性力にのみ頼って仮の嵌合つめを外しただけでカバーを外すことができなくてはならなかったが、本発明に係る脱着つめでは扉体の動作により係合したり係合を解除したりできるので、確実に基台とカバーとを係合でき確実に閉じることが出来る。
【発明を実施するための最良の形態】
【００１０】
カバーの脱着を円滑に行うという目的を、最小の部品点数で、機構的につめの係合を確実に実現した。
【実施例１】
【００１１】
本発明に係る分電盤の扉体係合構造の実施例を図１〜図２の添付図面に基づいて説明する。
【００１２】
分電盤１のキャビネット２はブレーカ３等の電気機器を載置する基台４と、基台４の前
面開口を被覆するカバー５と、カバー５で被覆した基台４の前面をさらに施蓋する扉体６とで構成される。カバー５は
左右両側に脱着つめ７を設け、脱着つめ７を手で動作させることにより、カバー５を基台
４に嵌合させたりその嵌合を解除したりできる。分電盤１のキャビネット２が大型である
場合には、キャビネット２の長手方向の中央部に隙間ができる虞があるため隙間ができな
いように係合体８を設ける。
【００１３】
係合体８はカバー５に設け、基台４には係合体８の係合部８ｂと係合する係合片４ａを設ける。係合体８は扉体６の開閉動作に連動して可動するものであり、扉体６を閉じたときに係合体８の係合部８ｂは係合片４ａに係合するものである。係合体８はばねで係合部が係合片から離れるように付勢されており、扉体６を開くと係合が解除され、係合体８が元の位置に戻る。
【実施例２】
【００１４】
本発明に係る分電盤のカバー係合構造の実施例２は、実施例１において、係合体８は、一端には先端をテーパー状に形成したつめ部８ａを設け、他端には係合部８ｂを設ける。係合体８は、カバー５に取り付けられていて、回動動作により可動するものである。カバー５には突出孔９を設け、この突出孔９からつめ部８ａを突出させる。係合体８は、扉体６が開放されている状態では、つめ部８ａが下方へ向かうようばねで付勢する。つめ部８ａに対向して、扉体６内側にもテーパー部６ａを形成する。基台４の開口端部には係合片４ａが設けられる。
【００１５】
扉体６を閉じるとき、扉体６に設けられたテーパー部６ａにつめ部８ａの先端のテーパーが掛かり、テーパーがテーパー部６ａを伝ってつめ部８ａが起き上がり、係合部８ｂが基台４に設けられた係合片４ａに係合し、扉体６を閉めたときにカバー５を基台４に固定することができる。また、係合体８はばねにより付勢されているので、扉体６を開けたときに、元の位置に戻る。
【００１６】
本発明に係る分電盤のカバー係合構造は、実施例２に示したような、係合体８の回動によりカバー５を基台４に係合させる形状に限定されるものではなく、本発明の趣旨を逸脱しない範囲において適宜変更可能である。
【産業上の利用可能性】
【００１７】
配線作業等で分電盤のカバーを外すとき、扉体を閉じる動作に連動してカバーの基台への係合がされ、また、扉体を開ける動作によりカバーの基台への係合がされたりするため、特別な動作の必要もなく、確実にカバーを基台に留めることと、基台への係合の解除ができ、扉体を閉じた状態でのカバーの係合を確実にし、特にキャビネットが大型の分電盤に適用できる。
【図面の簡単な説明】
【００１８】
【図１】本発明に係る分電盤のカバー係合構造を示す説明図である。（実施例１、実施例２）
【図２】本発明に係る分電盤のカバ係合構造を示す一部断面図である。（実施例１、実施例２）
【図３】従来の分電盤のカバー係合構造を示す説明図である。
【符号の説明】
【００１９】
１     分電盤
２     キャビネット
３     ブレーカ
４     基台
４ａ   係合片
５     カバー
６     扉体
６ａ   テーパー部
７     脱着つめ
８     係合体
８ａ   つめ部
８ｂ   係合部
９     突出孔
【図１】
0004605369.tif 000002
【図２】
0004605369.tif 000003
【図３】
0004605369.tif 000004